(57)【特許請求の範囲】
【請求項１】
冷却器が配設された冷却器室と、
冷蔵室と、
前記冷却器室から前記冷蔵室へ冷気を流す冷蔵室用冷気通路と、
前記冷蔵室用冷気通路を開閉するダンパ装置と、
前記ダンパ装置を迂回して前記冷却器室と前記冷蔵室とを繋ぐバイパス通気路と、
前記冷気を流す送風機と、
前記冷却器に冷媒を送る圧縮機と、
を備え、
前記送風機は、前記圧縮機の運転停止時でかつ前記ダンパ装置が閉状態のときに前記圧縮機の運転時よりも低速回転で運転する、
冷蔵庫。
【請求項２】
前記冷蔵室の上側に冷凍室を備え、前記ダンパ装置は前記冷蔵室の上部に設置されている請求項１記載の冷蔵庫。
【請求項３】
前記冷気通路にあって前記ダンパ装置よりも前記冷蔵室側に位置させて、前記冷蔵室側の暖気が前記ダンパ装置側へ侵入することを規制する暖気侵入規制部が設けられている請求項１または２記載の冷蔵庫。
【請求項４】
前記暖気侵入規制部は取り出しが可能である請求項３記載の冷蔵庫。
【発明の詳細な説明】
【技術分野】
【０００１】
本発明の実施形態は、冷蔵庫に関する。
【背景技術】
【０００２】
例えば家庭用の冷蔵庫においては、上部に冷凍室、その下に冷蔵室が設けられ、冷凍室の背部に、冷却器および送風機が配設された冷却器室が設けられ、冷却器室で冷却された冷気を送風機の送風作用で冷凍室および冷蔵室に流すようにすることで、それら冷凍室および冷蔵室を冷却する構成としたものがある。このものにおいては、冷却器室と冷蔵室との間にはこれらを連通させる冷気通路が設けられているとともに、その冷気通路を開閉するダンパ装置が設けられていて、冷蔵室が冷え過ぎないようにするため、ダンパ装置を開閉して冷蔵室の温度を制御するようにしている。
【先行技術文献】
【特許文献】
【０００３】
【特許文献１】特開２０１２−２５５６１５号公報
【発明の概要】
【発明が解決しようとする課題】
【０００４】
このような構成のものにおいては、冷蔵室内の暖気が冷気通路を通ってダンパ装置付近に至り、その暖気とダンパ装置表面との温度差により当該ダンパ装置表面に着霜が発生し、その着霜が原因でダンパ装置が氷結して動作不良が発生するおそれがある。
【０００５】
そこで、ダンパ装置に着霜による動作不良が発生することを防止できる冷蔵庫を提供する。
【課題を解決するための手段】
【０００６】
本実施形態の冷蔵庫は、冷却器が配設された冷却器室と、冷蔵室と、前記冷却器室から前記冷蔵室へ冷気を流す冷蔵室用冷気通路と、前記冷蔵室用冷気通路を開閉するダンパ装置と、前記ダンパ装置を迂回して前記冷却器室と前記冷蔵室とを繋ぐバイパス通気路と、前記冷気を流す送風機と、前記冷却器に冷媒を送る圧縮機と、を備える。前記送風機は、前記圧縮機の運転停止時でかつ前記ダンパ装置が閉状態のときに前記圧縮機の運転時よりも低速回転で運転する。
【図面の簡単な説明】
【０００７】
【図１】本実施形態による冷蔵庫の概略的な縦断側面図（ダンパ装置が開状態）
【図２】ダンパ装置が閉状態となった状態での冷蔵庫の概略的な縦断側面図
【図３】暖気侵入規制部材の概略的斜視図
【発明を実施するための形態】
【０００８】
以下、一実施形態による冷蔵庫について図面を参照しながら説明する。図１において、冷蔵庫本体１の断熱箱体２は、内箱３と外箱４との間に断熱材５を充填して構成されている。断熱箱体２の内部には貯蔵室が形成されている。貯蔵室としては、上部が冷凍室６、その下が冷蔵室７とされている。冷凍室６と冷蔵室７との間は、断熱性を有する仕切壁８により仕切られている。冷凍室６および冷蔵室７の前面には、図示はしないが、それぞれの開口部を開閉する扉が設けられている。
【０００９】
冷凍室６の後部には冷却器室９が形成されている。この冷却器室９は、前方からカバー１０により覆われている。カバー１０には、複数の冷気吹出し口１０ａが設けられている。冷却器室９内には、下部に冷却器１１、上部に送風機１２が配設されている。冷却器１１は、冷凍サイクルの一部を構成する。冷凍サイクルは、図示はしないが、冷媒を圧縮して高温高圧のガス冷媒を吐出する圧縮機と、圧縮機から吐出されたガス冷媒を凝縮して液化する凝縮器と、液化した冷媒を蒸発させその際に周囲の空気を冷却する冷却器１１などを配管によりサイクル接続して構成される。なお、図示はしないが、冷凍室６内の空気が冷却器室９内に戻される冷凍室用戻り通気路が設けられている。
【００１０】
仕切壁８の後部には、冷蔵室用冷気通路１４が設けられている。この冷蔵室用冷気通路１４は、後部が冷却器室９に連通し、前部が冷蔵室７に連通している。冷蔵室用冷気通路１４において、冷蔵室７に臨む先端部を冷気吹出し口１４ａとしている。冷蔵室用冷気通路１４には、ダンパ装置１５が配設されている。このダンパ装置１５は、筒状をなし冷蔵室用冷気通路１４に連通した通気口１６と、図示しないダンパモータにより作動されてこの通気口１６を開閉するダンパ板１７を備えている。冷蔵室用冷気通路１４において、ダンパ装置１５の近傍、この場合上部に、当該ダンパ装置１５を迂回するバイパス通気路１８が設けられている。
【００１１】
冷蔵室用冷気通路１４には、暖気侵入規制部材２０が設けられている。この暖気侵入規制部材２０には、図３にも示すように、上方へ突出する凸状の暖気侵入規制部２１が一体に設けられている。暖気侵入規制部２１は、冷蔵室用冷気通路１４にあってダンパ装置１５よりも冷蔵室７側に位置させて、上方に向けて突出している。暖気侵入規制部２１の上端部と冷蔵室用冷気通路１４の内面との間には隙間２２が形成されていて、その隙間２２を通して冷気の通過が可能とされている。暖気侵入規制部材２０は、仕切壁８に対して取り外し可能に組み込まれている。なお、図示はしないが、冷蔵室７内の空気が冷却器室９内に戻される冷蔵室用戻り通気路も設けられている。
【００１２】
また、冷凍室６および冷蔵室７には、それぞれの温度を検知する温度センサが設けられている。さらに、冷蔵庫本体１には、図示はしないが、マイクロコンピュータを主体に構成された制御装置が設けられている。この制御装置は、各温度センサの検知温度や、予め備えた制御プログラムに基づき、前記冷凍サイクルの圧縮機、送風機１２、ダンパ装置１５などを制御する機能を備えている。
【００１３】
上記構成において、冷凍室６および冷蔵室７を冷却する際には、ダンパ装置１５が開放状態となっていて、冷凍サイクルの圧縮機が駆動されるとともに、送風機１２が駆動される。これに伴い、冷却器１１で冷却された冷却器室９内の冷気の一部は、図１の実線矢印Ａ１で示すように、冷気吹出し口１０ａから冷凍室６内に供給され、その冷気で冷凍室６内が冷却される。冷凍室６内を冷却した冷気は、図示しない冷凍室用戻り通気路を通して冷却器室９内に戻される。
【００１４】
また、冷却器１１で冷却された冷気の一部は、図１に実線矢印Ａ２で示すように、冷蔵室用冷気通路１４、開放状態のダンパ装置１５の通気口１６、暖気侵入規制部２１上方の隙間２２を通り、冷気吹出し口１４ａから冷蔵室７内に供給され、その冷気で冷蔵室７内が冷却される。冷蔵室７内を冷却した冷気は、図示しない冷蔵室用戻り通気路を通して冷却器室９内に戻される。
【００１５】
冷蔵室７内の温度が設定温度まで冷却されると、ダンパ装置１５のダンパモータが駆動され、図２に示すように、ダンパ板１７が通気口１６を閉鎖する状態となる。この状態になると、冷蔵室７内の冷却が停止される状態となるが、送風機１２の運転は継続されたままで、冷凍室６の冷却は継続される。この状態において、冷蔵室７内に暖気が発生すると、その暖気は冷蔵室７内を上昇し、図２に点線矢印Ｂで示すように、冷気吹出し口１４ａから冷蔵室用冷気通路１４内に入り、ダンパ装置１５側へ侵入するおそれがある。この場合、冷蔵室７の上側に冷凍室６が存し、ダンパ装置１５は冷蔵室７の上部に存しているので、冷蔵室７内の暖気は上昇してダンパ装置１５側へ到達しやすい配置となっている。
【００１６】
このようにして冷蔵室７内の暖気がダンパ装置１５付近まで達すると、その暖気とダンパ装置１５表面との温度差により当該ダンパ装置１５表面に着霜が発生し、その着霜が原因でダンパ装置１５が氷結して動作不良が発生するおそれがある。
【００１７】
この点、本実施形態においては、ダンパ装置１５の近傍にバイパス通気路１８を設けているので、ダンパ装置１５が閉鎖状態であっても、送風機１２が駆動されていれば、冷却器室９内の冷気の一部が、図２に実線矢印Ｃで示すように、バイパス通気路１８を通して前方の暖気侵入規制部２１側に向けて流れている。これにより、冷蔵室７側から冷蔵室用冷気通路１４に暖気が侵入したとしても、その暖気がダンパ装置１５に接触することが防止され、ダンパ装置１５に着霜が発生することを防止でき、よって、ダンパ装置１５に着霜による動作不良が発生することを防止できるようになる。
【００１８】
しかも、冷蔵室用冷気通路１４において冷気吹出し口１４ａ付近には凸状の暖気侵入規制部２１が存しているので、冷蔵室７内の暖気がダンパ装置１５側へは侵入し難くなっている。このため、冷蔵室７側の暖気がダンパ装置１５に接触することを、一層防止することが可能となる。
【００１９】
一方、冷凍室６内の温度が設定温度まで冷却されると、圧縮機の運転は停止される。圧縮機の運転停止時は、送風機１２は、圧縮機の運転時よりも低速回転で運転される。これにより、圧縮機の運転停止時でも冷却器室９側の冷気をバイパス通気路１８を通してダンパ装置１５側へ供給するので、冷蔵室７内の暖気がダンパ装置１５付近まで侵入することを防止できる。この場合、送風機１２は、高速回転させる必要はなく、圧縮機の運転時よりも低速回転でよい。
【００２０】
上記した実施形態においては、暖気侵入規制部材２０を取り外し可能な構成としている。暖気侵入規制部材２０は、仕切壁８とは別に製造し、その仕切壁８に組み込むようにできるため、その暖気侵入規制部材２０の製造性と組立性を向上できる。
【００２１】
（その他の実施形態）
上記した実施形態においては、冷却器室９で冷却された冷気を、冷蔵室用冷気通路１４を通して直接冷蔵室７内に供給する構成としたが、冷却器室９で冷却された冷気を、冷凍室６を経由した後、冷蔵室用冷気通路を通して冷蔵室７内に供給する構成とすることもできる。この場合も、ダンパ装置１５は冷蔵室用冷気通路に設置する。
【００２２】
以上説明したように、本実施形態の冷蔵庫によれば、冷蔵室へ冷気を流す冷気通路にこれを開閉するダンパ装置を備えたものにおいて、ダンパ装置に着霜による動作不良が発生することを防止できる。
【００２３】
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００２４】
図面中、６は冷凍室、７は冷蔵室、８は仕切壁、９は冷却器室、１１は冷却器、１２は送風機、１４は冷蔵室用冷気通路（冷気通路）、１５はダンパ装置、１６は通気口、１７はダンパ板、１８はバイパス通気路、２０は暖気侵入規制部材、２１は暖気侵入規制部、２２は隙間を示す。
【図１】
0006588249.tif 000002
【図２】
0006588249.tif 000003
【図３】
0006588249.tif 000004